(57)【要約】      （修正有）【課題】開閉時の利便性と引き残し代の短縮とを両立することができる引き戸装置及び階段装置を提供する。【解決手段】階段などの連通開口Ｅ１に隣接する壁面Ｂｂと、連通開口Ｅ１を開閉する引き戸本体２３の後面２３ｂと、壁面Ｂｂ取付けられた見切り材２７との間に、引き戸本体２３の後面２３ｂに設けられた第１引き手２５１に指を掛けるために、手を挿入可能な挿入空間３２が設けられている。また、第１引き手２５１の縦長さは、引き戸本体２３の前面２３ａに設けられた第２引き手の縦長さより長く、第１引き手２５１の上端位置が、第２引き手の上端位置より高いか、又は、第１引き手２５１の下端位置が、第２引き手の下端位置より低く設けられる。【選択図】図５
2020076310.tif 000002
【特許請求の範囲】
【請求項１】
壁面に対面して前記壁面に沿う横方向に移動可能であり、前記壁面に隣接する開口を開閉する上吊り式の引き戸本体と、
該引き戸本体の前記壁面に対面する側の一面に設けられている第１引き手と、
該引き戸本体の前記一面の逆側の他面に設けられている第２引き手と
を備える引き戸装置において、
前記壁面と前記一面との間に、手の挿入が可能な空間が設けられており、
該空間は前記壁面と前記一面と前記壁面に取り付けられた見切り材とに囲繞されており、
前記第１引き手の縦長さは前記第２引き手の縦長さより長く、
前記第１引き手の上端位置が、前記第２引き手の上端位置より高いか、又は、前記第１引き手の下端位置が、前記第２引き手の下端位置より低いことを特徴とする引き戸装置。
【請求項２】
壁面に対面して前記壁面に沿う横方向に移動可能であり、前記壁面に隣接する開口を開閉する上吊り式の引き戸本体と、
該引き戸本体の前記壁面に対面する側の一面に設けられている第１引き手と、
該引き戸本体の前記一面の逆側の他面に設けられている第２引き手と
を備える引き戸装置において、
前記壁面と前記一面との間に、手の挿入が可能な空間が設けられており、
該空間は前記壁面と前記一面と前記壁面に取り付けられた見切り材とに囲繞されており、
前記第１引き手は、前記第２引き手よりも戸先側に配されていることを特徴とする引き戸装置。
【請求項３】
壁面に対面して前記壁面に沿う横方向に移動可能であり、前記壁面に隣接する開口を開閉する上吊り式の引き戸本体と、
該引き戸本体の前記壁面に対面する側の一面に設けられている第１引き手と、
該引き戸本体の前記一面の逆側の他面に設けられている第２引き手と
を備える引き戸装置において、
前記壁面と前記一面との間に、手の挿入が可能な空間が設けられており、
該空間は前記壁面と前記一面と前記壁面に取り付けられた見切り材とに囲繞されており、
該見切り材は、縦方向に長く、前記壁面における前記開口の周縁端部から適長離隔して、前記壁面に取り付けられる棒材であり、
前記引き戸本体による前記開口の閉鎖時に前記棒材及び前記引き戸本体の間の空隙を覆うパッキンを備えることを特徴とする引き戸装置。
【請求項４】
壁面に対面して前記壁面に沿う横方向に移動可能であり、前記壁面に隣接する開口を開閉する上吊り式の引き戸本体と、
該引き戸本体の前記壁面に対面する側の一面に設けられている第１引き手と、
該引き戸本体の前記一面の逆側の他面に設けられている第２引き手と
を備える引き戸装置において、
前記壁面と前記一面との間に、手の挿入が可能な空間が設けられており、
該空間は前記壁面と前記一面と前記壁面に取り付けられた見切り材とに囲繞されており、
前記引き戸本体の引き残し代は、前記引き戸本体の戸先から前記第１引き手の戸先側端部までの距離までよりも長いことを特徴とする引き戸装置。
【請求項５】
壁面に対面して前記壁面に沿う横方向に移動可能であり、前記壁面に隣接する開口を開閉する上吊り式の引き戸本体と、
該引き戸本体の前記壁面に対面する側の一面に設けられている第１引き手と、
該引き戸本体の前記一面の逆側の他面に設けられている第２引き手と
を備える引き戸装置において、
前記壁面と前記一面との間に、手の挿入が可能な空間が設けられており、
該空間は前記壁面と前記一面と前記壁面に取り付けられた見切り材とに囲繞されており、
前記引き戸本体の引き残し代は、前記引き戸本体の戸先から前記第１引き手の戸尻側端部までの距離までよりも短いことを特徴とする引き戸装置。
【請求項６】
前記壁面と前記一面との対面方向の離隔距離は30mm以上であることを特徴とする請求項１乃至５の何れか一項に記載の引き戸装置。
【請求項７】
前記第１引き手及び第２引き手は夫々掘り込み引き手であることを特徴とする請求項１乃至６の何れか一項に記載の引き戸装置。
【請求項８】
前記第１引き手の縦長さは前記第２引き手の縦長さより長く、
前記第１引き手の上端位置が、前記第２引き手の上端位置より高いか、又は、前記第１引き手の下端位置が、前記第２引き手の下端位置より低いことを特徴とする請求項２乃至７の何れか一項に記載の引き戸装置。
【請求項９】
前記第１引き手は、前記第２引き手よりも戸先側に配されていることを特徴とする請求項３乃至８の何れか一項に記載の引き戸装置。
【請求項１０】
前記見切り材は、縦方向に長く、前記壁面における前記開口の周縁端部から適長離隔して、前記壁面に取り付けられる棒材であり、
前記引き戸本体による前記開口の閉鎖時に前記棒材及び前記引き戸本体の間の空隙を覆うパッキンを備えることを特徴とする請求項４乃至９の何れか一項に記載の引き戸装置。
【請求項１１】
前記引き戸本体の引き残し代は、前記引き戸本体の戸先から前記第１引き手の戸先側端部までの距離までよりも長いことを特徴とする請求項５乃至１０の何れか一項に記載の引き戸装置。
【請求項１２】
前記引き戸本体の引き残し代は、前記引き戸本体の戸先から前記第１引き手の戸尻側端部までの距離までよりも短いことを特徴とする請求項６乃至１１の何れか一項に記載の引き戸装置。
【請求項１３】
請求項１乃至１２の何れか一項に記載の引き戸装置と、
階上及び階下を連絡し、前記開口を通して昇降される階段と
を備えることを特徴とする階段装置。
【請求項１４】
請求項１又は８に記載の引き戸装置と、
階上及び階下を連絡し、前記開口を通して昇降される階段と
を備え、
前記引き戸装置は前記階下の側に配されており、
前記第１引き手の上端位置が、前記第２引き手の上端位置より高いことを特徴とする階段装置。
【請求項１５】
請求項１又は８に記載の引き戸装置と、
階上及び階下を連絡し、前記開口を通して昇降される階段と
を備え、
前記引き戸装置は前記階上の側に配されており、
前記第１引き手の下端位置が、前記第２引き手の下端位置より低いことを特徴とする階段装置。
【発明の詳細な説明】
【技術分野】
【０００１】
本発明は、引き戸本体に引き手が設けられている引き戸装置及び階段装置に関する。
【背景技術】
【０００２】
従来、リビングに階段が直結しているリビング階段構造が提案されている（特許文献１参照）。
リビングに面する壁面には、リビングと階段が配された空間とを連通する開口（以下、連通開口という）が設けられている。
特許文献１に記載のリビング階段構造の場合、ロールスクリーンがリビング側にて連通開口を開閉する構成である。
【０００３】
一方、上吊り式の引き戸本体が、壁面に設けられている開口を開閉する構成の引き戸装置が提案されている（特許文献２参照）。
使用者は、引き戸本体に設けられている引き手に手を掛けて引き戸本体を開閉させる。
【先行技術文献】
【特許文献】
【０００４】
【特許文献１】特開２０１０−７１０５１号公報
【特許文献２】特許第５１７７８９５号公報
【発明の概要】
【発明が解決しようとする課題】
【０００５】
特許文献１に記載されているようなリビング階段構造に、特許文献２に記載されているような引き戸装置を適用する場合、引き戸本体がリビング側にて連通開口を開閉する。
【０００６】
この場合、引き戸本体が全開のときに、引き残し代（即ち、全開になった引き戸本体の戸先が開口側に突出している部分の開閉方向の長さ）が“０”であると、階段側の使用者は、引き手を視認することも引き手に指を掛けることもできない。何故ならば、引き手が階段側から壁面に覆われる上に、従来、引き戸本体と壁面との離隔距離は20mm程度しかないからである。この結果、開閉時の利便性が損なわれる。故に、従来、70mm以上の引き残し代が設定されている。
【０００７】
しかしながら、引き残し代が長いほど連通開口の有効開口幅は短くなるので、引き残し代の短縮が望まれている。
【０００８】
本発明は斯かる事情に鑑みてなされたものであり、その主たる目的は、開閉時の利便性と引き残し代の短縮とを両立することができる引き戸装置及び階段装置を提供することにある。
【課題を解決するための手段】
【０００９】
本発明に係る引き戸装置は、壁面に対面して前記壁面に沿う横方向に移動可能であり、前記壁面に隣接する開口を開閉する上吊り式の引き戸本体と、該引き戸本体の前記壁面に対面する側の一面に設けられている第１引き手と、該引き戸本体の前記一面の逆側の他面に設けられている第２引き手とを備える引き戸装置において、前記壁面と前記一面との間に、手の挿入が可能な空間が設けられており、該空間は前記壁面と前記一面と前記壁面に取り付けられた見切り材とに囲繞されており、前記第１引き手の縦長さは前記第２引き手の縦長さより長く、前記第１引き手の上端位置が、前記第２引き手の上端位置より高いか、又は、前記第１引き手の下端位置が、前記第２引き手の下端位置より低いことを特徴とする。
本発明に係る引き戸装置は、壁面に対面して前記壁面に沿う横方向に移動可能であり、前記壁面に隣接する開口を開閉する上吊り式の引き戸本体と、該引き戸本体の前記壁面に対面する側の一面に設けられている第１引き手と、該引き戸本体の前記一面の逆側の他面に設けられている第２引き手とを備える引き戸装置において、前記壁面と前記一面との間に、手の挿入が可能な空間が設けられており、該空間は前記壁面と前記一面と前記壁面に取り付けられた見切り材とに囲繞されており、前記第１引き手は、前記第２引き手よりも戸先側に配されていることを特徴とする。
本発明に係る引き戸装置は、壁面に対面して前記壁面に沿う横方向に移動可能であり、前記壁面に隣接する開口を開閉する上吊り式の引き戸本体と、該引き戸本体の前記壁面に対面する側の一面に設けられている第１引き手と、該引き戸本体の前記一面の逆側の他面に設けられている第２引き手とを備える引き戸装置において、前記壁面と前記一面との間に、手の挿入が可能な空間が設けられており、該空間は前記壁面と前記一面と前記壁面に取り付けられた見切り材とに囲繞されており、該見切り材は、縦方向に長く、前記壁面における前記開口の周縁端部から適長離隔して、前記壁面に取り付けられる棒材であり、前記引き戸本体による前記開口の閉鎖時に前記棒材及び前記引き戸本体の間の空隙を覆うパッキンを備えることを特徴とする。
本発明に係る引き戸装置は、壁面に対面して前記壁面に沿う横方向に移動可能であり、前記壁面に隣接する開口を開閉する上吊り式の引き戸本体と、該引き戸本体の前記壁面に対面する側の一面に設けられている第１引き手と、該引き戸本体の前記一面の逆側の他面に設けられている第２引き手とを備える引き戸装置において、前記壁面と前記一面との間に、手の挿入が可能な空間が設けられており、該空間は前記壁面と前記一面と前記壁面に取り付けられた見切り材とに囲繞されており、前記引き戸本体の引き残し代は、前記引き戸本体の戸先から前記第１引き手の戸先側端部までの距離までよりも長いことを特徴とする。
本発明に係る引き戸装置は、壁面に対面して前記壁面に沿う横方向に移動可能であり、前記壁面に隣接する開口を開閉する上吊り式の引き戸本体と、該引き戸本体の前記壁面に対面する側の一面に設けられている第１引き手と、該引き戸本体の前記一面の逆側の他面に設けられている第２引き手とを備える引き戸装置において、前記壁面と前記一面との間に、手の挿入が可能な空間が設けられており、該空間は前記壁面と前記一面と前記壁面に取り付けられた見切り材とに囲繞されており、前記引き戸本体の引き残し代は、前記引き戸本体の戸先から前記第１引き手の戸尻側端部までの距離までよりも短いことを特徴とする。
【００１０】
本発明に係る引き戸装置は、前記壁面と前記一面との対面方向の離隔距離は30mm以上であることを特徴とする。
【００１１】
本発明に係る引き戸装置は、前記第１引き手及び第２引き手は夫々掘り込み引き手であることを特徴とする。
【００１２】
本発明に係る引き戸装置は、前記第１引き手の縦長さは前記第２引き手の縦長さより長く、前記第１引き手の上端位置が、前記第２引き手の上端位置より高いか、又は、前記第１引き手の下端位置が、前記第２引き手の下端位置より低いことを特徴とする。
【００１３】
本発明に係る引き戸装置は、前記第１引き手は、前記第２引き手よりも戸先側に配されていることを特徴とする。
【００１４】
本発明に係る引き戸装置は、前記見切り材は、縦方向に長く、前記壁面における前記開口の周縁端部から適長離隔して、前記壁面に取り付けられる棒材であり、前記引き戸本体による前記開口の閉鎖時に前記棒材及び前記引き戸本体の間の空隙を覆うパッキンを備えることを特徴とする。
【００１５】
本発明に係る引き戸装置は、前記引き戸本体の引き残し代は、前記引き戸本体の戸先から前記第１引き手の戸先側端部までの距離までよりも長いことを特徴とする。
【００１６】
本発明に係る引き戸装置は、前記引き戸本体の引き残し代は、前記引き戸本体の戸先から前記第１引き手の戸尻側端部までの距離までよりも短いことを特徴とする。
【００１７】
本発明に係る階段装置は、本発明に係る引き戸装置と、階上及び階下を連絡し、前記開口を通して昇降される階段とを備えることを特徴とする。
【００１８】
本発明に係る階段装置は、本発明に係る引き戸装置と、階上及び階下を連絡し、前記開口を通して昇降される階段とを備え、前記引き戸装置は前記階下の側に配されており、前記第１引き手の上端位置が、前記第２引き手の上端位置より高いことを特徴とする。
【００１９】
本発明に係る階段装置は、本発明に係る引き戸装置と、階上及び階下を連絡し、前記開口を通して昇降される階段とを備え、前記引き戸装置は前記階上の側に配されており、前記第１引き手の下端位置が、前記第２引き手の下端位置より低いことを特徴とする。
【００２０】
本発明にあっては、開口に隣接する壁面と、引き戸本体の壁面側の一面との間に、手の挿入が可能な空間（以下、挿入空間という）が設けられている。故に、使用者は、挿入空間に手を挿入して第１引き手に指を掛け易い。また、使用者が挿入空間を通して第１引き手を視認し易い。この結果、長い引き残し代を設定する必要がない。
第２引き手は壁面に面していない。故に使用者は第２引き手に指を掛け易く、第２引き手を視認し易い。
このような引き戸装置は、特に階段装置を構成する場合に有用である。
【００２１】
本発明にあっては、壁面と引き戸本体の一面との離隔距離を従来よりも10mm以上長くすることによって挿入空間が設けられている。
【００２２】
本発明にあっては、第１引き手（及び第２引き手）が掘り込み引き手である。即ち、引き戸本体の一面（及び他面）に対し、凹状の引き手が設けられている。
従って、第１引き手が凸状である場合に比べて、挿入空間を第１引き手が狭めてしまう不都合を抑制することができる。また、第２引き手が凸状である場合に比べて、引き戸本体の他面に対面する空間（例えばリビング）を第２引き手が狭めてしまう不都合を抑制することができる。
【００２３】
本発明にあっては、第１引き手が第２引き手に比べて上側に長い。このような構成は、引き戸本体が階下側にある場合に好適である。何故ならば、階段側の使用者が階下の床面よりも高い位置から第１引き手に容易に手を掛けることができるからである。
或いは、第１引き手が第２引き手に比べて下側に長い。このような構成は、引き戸本体が階上側にある場合に好適である。何故ならば、階段側の使用者が階上の床面よりも低い位置から第１引き手に容易に手を掛けることができるからである。
【００２４】
本発明にあっては、第１引き手は、第２引き手よりも戸先側に配されている。故に、第１引き手の横方向の配置位置が第２引き手と同じである場合に比べて、引き残し代を短くすることができる。
【００２５】
本発明にあっては、棒材が、開口の周縁部から離して壁面に取り付けられている。故に、棒材の取り付け時に棒材の横方向の位置を容易に調整することができる。
棒材と引き戸本体との間の空隙を覆うパッキンは、開口を通した無用な空気の通流を抑制することができる。
【００２６】
本発明にあっては、引き戸本体を全開にしても、第１引き手の少なくとも一部を確実に視認することができる。
【００２７】
本発明にあっては、引き戸本体を全開にしても、第１引き手の少なくとも一部を確実に視認することができる。
しかも、引き残し代が長すぎない。何故ならば、引き戸本体を全開にすると、引き戸本体の少なくとも第１引き手よりも戸尻側は壁面に覆われるからである。
【発明の効果】
【００２８】
本発明の引き戸装置及び階段装置による場合、長い引き残し代を設定せずとも、使用者が第１引き手及び第２引き手夫々に指を掛け易く、第１引き手及び第２引き手夫々を視認し易い。故に、開閉時の利便性と引き残し代の短縮とを両立することができる。
【図面の簡単な説明】
【００２９】
【図１】本発明の実施の形態１に係る階段装置の構成（閉鎖時）を略示する平面図である。
【図２】階段装置の構成（開放時）を略示する平面図である。
【図３】階段装置が備える引き戸装置の構成を略示する断面図である。
【図４】引き戸装置の戸先側（閉鎖時）の構成を略示する断面図である。
【図５】引き戸装置の戸先側（開放時）の構成を略示する断面図である。
【図６】引き戸装置の戸尻側の構成を略示する断面図である。
【図７】引き戸装置が有する引き戸本体の構成を略示する正面図である。
【図８】引き戸本体の構成を略示する背面図である。
【図９】本発明の実施の形態２に係る階段装置が備える引き戸装置が有する引き戸本体の構成を略示する背面図である。
【図１０】本発明の実施の形態３に係る階段装置が備える引き戸装置の構成を略示する平面図である。
【図１１】引き戸装置の構成を略示する断面図である。
【図１２】本発明の実施の形態４に係る階段装置が備える引き戸装置の戸先側の構成を略示する断面図である。
【発明を実施するための形態】
【００３０】
以下、本発明を、その実施の形態を示す図面に基づいて詳述する。以下の説明では、図において矢符で示す上下、前後、及び左右を使用する。
【００３１】
実施の形態  １．
図１及び図２は、本発明の実施の形態１に係る階段装置１の構成を略示する平面図である。
図３は、階段装置１が備える引き戸装置２の構成を略示する断面図である。
図４及び図５は、引き戸装置２の戸先側の構成を略示する断面図である。
図６は、引き戸装置２の戸尻側の構成を略示する断面図である。
図７及び図８は、引き戸装置２が有する引き戸本体２３の構成を略示する正面図及び背面図である。
【００３２】
階段装置１は、階段１１及び引き戸装置２を備えている。
引き戸装置２は、案内レール２１１、２個の走行体２２，２２、引き戸本体２３、引き手２４（第２引き手）、引き手２５１（第１引き手）、棒材２６１，２７、及びパッキン２８，２９を備える。引き戸装置２には挿入空間３１，３２（手の挿入が可能な空間）が形成されている。
【００３３】
階段装置１は、建築物に備えられている。柱Ａ１，Ａ２、壁板Ｂ１，Ｂ２，Ｂ３，Ｂ４、天井板Ｃ１、及び床板Ｄ１は、建築物を構成する躯体の一部である。躯体には、壁板Ｂ１，Ｂ２，Ｂ３，Ｂ４、天井板Ｃ１、及び床板Ｄ１に囲繞された連通開口Ｅ１（開口）が形成されている。
図１、図４、及び図６は、引き戸本体２３による連通開口Ｅ１の閉鎖時を示している。図４及び図６は図１における棒材２６１，２７近傍の拡大図でもある。
図２及び図５は、引き戸本体２３による連通開口Ｅ１の開放時を示している。図５は図２における棒材２７近傍の拡大図でもある。
【００３４】
まず、階段装置１を備える建築物の各部について説明する。
柱Ａ１，Ａ２は、左右方向に離隔並置されている。柱Ａ１，Ａ２夫々は長さ方向が上下方向の四角柱状をなす。
【００３５】
壁板Ｂ１は上下左右方向に延びる矩形平板状をなし、柱Ａ１に取り付けられている。壁板Ｂ１の右辺部は、柱Ａ１の前面を覆っている。
壁板Ｂ２は上下左右方向に延びる矩形平板状をなし、柱Ａ２に取り付けられている。壁板Ｂ２の左辺部は、柱Ａ２の前面を覆っている。
壁板Ｂ１，Ｂ２は、左右方向に離隔並置されている。壁板Ｂ１の右端面と壁板Ｂ２の左端面とが左右方向に対面配置されている。
以下では、壁板Ｂ１（及び壁板Ｂ２）の前面を、壁面Ｂａ（及び壁面Ｂｂ）という。図１及び図２には、壁面Ｂａと壁面Ｂｂとを結ぶ仮想線（以下、壁面ラインという）が二点鎖線で示されている。
【００３６】
壁板Ｂ３は上下前後方向に延びる矩形平板状をなし、柱Ａ１に取り付けられている。壁板Ｂ３の前辺部は、柱Ａ１の右面を覆っている。壁板Ｂ３の右面は、壁板Ｂ１の右端面と面一である。
壁板Ｂ４は上下前後方向に延びる矩形平板状をなし、柱Ａ２に取り付けられている。壁板Ｂ４の前辺部は、柱Ａ２の左面を覆っている。壁板Ｂ３の左面は、壁板Ｂ２の左端面と面一である。
壁板Ｂ３，Ｂ４は、左右方向に離隔並置されている。壁板Ｂ１の右面と壁板Ｂ２の左面とが左右方向に対面配置されている。
【００３７】
天井板Ｃ１（図３参照）は前後左右方向に延びる平板状をなし、壁板Ｂ１，Ｂ２，Ｂ３，Ｂ４夫々の上辺部に交差する。
床板Ｄ１（図３参照）は前後左右方向に延びる平板状をなし、壁板Ｂ１，Ｂ２，Ｂ３，Ｂ４夫々の下辺部に交差する。
天井板Ｃ１及び床板Ｄ１夫々は、少なくとも壁板Ｂ１，Ｂ２の前側及び壁板Ｂ３，Ｂ４間に配されている。
【００３８】
連通開口Ｅ１は、上下左右を天井板Ｃ１、床板Ｄ１、壁板Ｂ１，Ｂ３、及び壁板Ｂ２，Ｂ４に囲繞された矩形状をなす。連通開口Ｅ１の内周面の内、上内面は天井板Ｃ１の下面からなり、下内面は床板Ｄ１の上面（即ち床面）からなり、左内面は壁板Ｂ１の右端面及び壁板Ｂ３の右面からなり、右内面は壁板Ｂ２の左端面及び壁板Ｂ４の左面からなる。
連通開口Ｅ１の左側には壁面Ｂａが隣接しており、連通開口Ｅ１の右側には壁面Ｂｂが隣接している。
壁面Ｂａ，Ｂｂよりも前側は、居住空間Ｆ（例えば１階のリビング。図３参照）である。
なお、壁面Ｂａ，Ｂｂよりも前側は、居住空間Ｆに限定されず、キッチン又は廊下等でもよい。
【００３９】
次に、階段装置１の階段１１について説明する。
階段１１は、階下の居住空間Ｆと図示しない階上の空間（例えば２階の廊下又は子供部屋等）とを連絡している。使用者は、連通開口Ｅ１を通して階段１１を昇降する。
階段１１は、複数枚の踏板１１１，１１１，…（図１及び図２に各１枚図示）と、２枚の側板１１２，１１２とを有する。
各踏板１１１は、前後左右に延びる平板状をなす。最下段の踏板１１１の前端部は、壁面ラインから300mm 程度後側に位置している。
各側板１１２は、上下前後方向に延びる平板状をなす。側板１１２，１１２は左右方向に対面している。側板１１２，１１２は、踏板１１１，１１１，…夫々の左右方向両端部を支持している。
【００４０】
本実施の形態では、連通開口Ｅ１の内部に階段１１の一部（少なくとも最下段の踏板１１１の前端部と、側板１１２，１１２夫々の前端部と）が配されており、連通開口Ｅ１よりも後側の図示しない空間に階段１１の残部が配されている。
なお、階段１１の配置は本実施の形態の配置に限定されない。例えば、連通開口Ｅ１を通して側板１１２，１１２夫々の前端部が居住空間Ｆに（即ち壁面ラインよりも前側に）突出していてもよく、連通開口Ｅ１よりも後側の空間のみに階段１１が配されていてもよい。
また、階段１１は直階段、折り返し階段、及びかね折れ階段等の何れでもよく、オープン階段及びクローズド階段の何れでもよい。
【００４１】
次に、階段装置１の引き戸装置２について説明する。
引き戸装置２は、階段１１の階下側の前側に配されている。
引き戸装置２の案内レール２１１（図３参照）は、いわゆる天井埋め込み型の建具レールであり、天井板Ｃ１に埋設されている。案内レール２１１の長さ方向は左右方向である。案内レール２１１の左端部（及び右端部）は壁面Ｂａ（及び壁面Ｂｂ）の前側に配されており、案内レール２１１の左右方向中央部は、連通開口Ｅ１の前側に配されている。
走行体２２，２２（図３に１個だけ図示）は、左右方向に離隔して並置されている。各走行体２２は、案内レール２１１に案内されて左右方向に走行する走行部２２１と、走行部２２１から下方に突出している吊り下げ部２２２とを有する。
【００４２】
引き戸本体２３は上下左右方向に延びる矩形平板状をなす。引き戸本体２３は前面２３ａ及び後面２３ｂを有する。引き戸本体２３は居住空間Ｆに配されている。
引き戸本体２３の上辺部は走行体２２，２２の吊り下げ部２２２，２２２に取り付けられている。従って、引き戸本体２３は走行体２２，２２の走行に伴い左右方向に移動する。
即ち、引き戸本体２３は壁面Ｂａ，Ｂｂ夫々に前後方向に対面して壁面Ｂａ，Ｂｂ夫々に沿う横方向に移動可能である。後面２３ｂは、引き戸本体２３の壁面Ｂａ，Ｂｂに対面する側の一面であり、前面２３ａは、後面２３ｂの逆側の他面である。
【００４３】
壁面Ｂａ，Ｂｂ夫々と後面２３ｂとの前後方向の離隔距離（以下、クリアランスＧ１という。図４及び図５参照）は、少なくとも30mmであり、本実施の形態では39mmである。従来の引き戸装置に係るクリアランスは20mm程度であるので、クリアランスＧ１は従来の1.5 倍以上長い。
【００４４】
引き戸本体２３は案内レール２１１から走行体２２，２２を介して吊り下げられた上吊り式であり、連通開口Ｅ１を左右方向に開閉する。連通開口Ｅ１の開放時、引き戸本体２３は右側に移動し、連通開口Ｅ１の閉鎖時、引き戸本体２３は左側に移動する。即ち、引き戸本体２３の戸先側／戸尻側は左側／右側である。
【００４５】
引き戸本体２３の下辺部は、床板Ｄ１から10mm離隔している。また、引き戸本体２３の下辺部には、図示しない公知の光漏れ防止機構が配されている。
引き戸本体２３の下端面には、図示しない係合溝が設けられている。この係合溝は下向きに開口しており、長さ方向は左右方向である。床板Ｄ１における引き戸本体２３の下側には、図示しない係合突起が上向きに突設されており、係合突起の先端部は係合溝に挿入されている。係合突起と係合溝との係合により、引き戸本体２３の前後方向の振動が抑制される。
【００４６】
連通開口Ｅ１を完全に閉鎖した場合、引き戸本体２３の左辺部は壁面Ｂａの前方に配される。
連通開口Ｅ１を完全に開放した場合、引き戸本体２３の左辺部は壁面Ｂｂの前方から連通開口Ｅ１側に突出する。即ち、引き戸本体２３には引き残し代Ｇ２（図５参照）が設けられている。本実施の形態における引き残し代Ｇ２（壁板Ｂ４の左面と、連通開口Ｅ１を完全に開放した場合における引き戸本体２３の左端面との左右方向の離隔距離）は、20mmである。従来の引き戸装置に係る引き残し代は70mm以上なので、引き残し代Ｇ２は従来よりも50mm以上低減されている。
【００４７】
引き手２４（図７参照）は、引き戸本体２３の前面２３ａに設けられた掘り込み引き手である。
本実施の形態における引き手２４の縦長さは140mm であり、横幅は40mmである。引き手２４の上端部（及び下端部）は、引き戸本体２３の下辺部から1000mm（及び860mm ）離隔した高さに位置している。引き手２４の左端部は、引き戸本体２３の左辺部から31mm離隔している。
引き手２４の寸法及び前面２３ａにおける配置は、一般的な引き手の寸法及び配置と大差ない。即ち、引き手２４は、床板Ｄ１上に立っている使用者の手が容易に届く高さにある。
【００４８】
引き手２５１は、引き戸本体２３の後面２３ｂに設けられた掘り込み引き手である。
本実施の形態における引き手２５１の縦長さは838mm であり、横幅は32mmである。引き手２５１の上端部（及び下端部）は、引き戸本体２３の下辺部から1674mm（及び836mm ）離隔した高さに位置している。引き手２５１の左端部は、引き戸本体２３の左辺部から７mm離隔している。
つまり、引き手２５１の縦長さは引き手２４より長く、引き手２５１の横幅は引き手２４より短く、引き手２５１の上端位置は引き手２４より高い。また、引き手２５１は引き手２４よりも戸先側に配されている。引き戸本体２３の引き残し代Ｇ２は、引き戸本体２３の戸先から引き手２５１の戸先側端部までの距離Ｇ３までよりも長く、引き戸本体２３の戸先から引き手２５１の戸尻側端部までの距離Ｇ４までよりも短い（図５参照）。
【００４９】
連通開口Ｅ１を完全に閉鎖した場合、引き手２５１の左部及び左右方向中央部は壁面Ｂａの前方に配されているが、引き手２５１の右部（引き手２５１の右端部から左右方向の長さ10mm程度の範囲）は、連通開口Ｅ１側に突出している。
連通開口Ｅ１を完全に開放した場合、引き手２５１の右半分は壁面Ｂａの前方に配されているが、引き手２５１の左半分（引き手２５１の左端部から左右方向の長さ15mm程度の範囲）は、連通開口Ｅ１側に突出している。
【００５０】
棒材２６１は、見切り材２６ａ及び戸当たり材２６ｂを有する（図４参照）。
見切り材２６ａは、縦方向に長い四角柱状をなす。見切り材２６ａの前後方向の長さは30mmであり、クリアランスＧ１よりも短い。引き戸本体２３は、見切り材２６ａよりも前側を左右方向に移動する。
見切り材２６ａの後面と壁面Ｂａとは接触している。見切り材２６ａは、連通開口Ｅ１の周縁端部（壁面Ｂａの右辺部）から左側に12.5mm離隔して、壁面Ｂａに取り付けられている。
【００５１】
戸当たり材２６ｂは中空部材であり、見切り材２６ａの前面における左辺部に取り付けられている。見切り材２６ａ及び戸当たり材２６ｂ夫々の前後方向の長さの和は49mmであり、クリアランスＧ１よりも長い。引き戸本体２３は、戸当たり材２６ｂの右面に対して左右方向に接離する。
【００５２】
棒材２７は、縦方向に長い四角柱状をなし、見切り材として機能する。棒材２７の棒材２７の縦長さ及び断面の寸法は、見切り材２６ａと同程度である。引き戸本体２３は、棒材２７よりも前側を左右方向に移動する。
棒材２７の後面と壁面Ｂｂとは接触している。棒材２７は、連通開口Ｅ１の周縁端部（壁面Ｂｂの左辺部）から右側に44mm離隔して、壁面Ｂｂに取り付けられている。
【００５３】
パッキン２８（図４参照）は弾性部材である。パッキン２８は、戸当たり材２６ｂに支持されており、戸当たり材２６ｂの右前端部から右斜め後側に突出した板状をなす。
連通開口Ｅ１を完全に閉鎖した場合、パッキン２８は、戸当たり材２６ｂと引き戸本体２３の左端面とに挟まれる。この結果、パッキン２８は棒材２６１と引き戸本体２３との間の空隙を覆う。
【００５４】
パッキン２９（図６参照）は、引き戸本体２３の左右方向の移動に伴って、左右方向に移動する。パッキン２９は、パッキン本体２９１と本体支持部２９２とを有する。
パッキン本体２９１は弾性部材であり、上下前後方向に延びる平板状をなす。
本体支持部２９２は、引き戸本体２３の後面における右辺部に取り付けられている。本体支持部２９２は、パッキン本体２９１が引き戸本体２３の後面における右辺部から後ろ向きに突出するような姿勢で、パッキン本体２９１を支持する。
【００５５】
連通開口Ｅ１を完全に閉鎖した場合、パッキン本体２９１の左面は棒材２７の右面に接触する。この結果、パッキン２９は引き戸本体２３と棒材２７との間の空隙を覆う。
なお、引き戸装置２は、パッキン２８に替えて引き戸本体２３に取り付けられたパッキンを備えていてもよく、パッキン２９に替えて棒材２７に取り付けられたパッキンを備えていてもよい。
【００５６】
連通開口Ｅ１を完全に閉鎖した場合、引き戸本体２３の後面２３ｂと見切り材２６ａの右面と壁面Ｂａとに囲繞された空間が形成される。この空間は、挿入空間３１として機能する（図１及び図４参照）。引き手２５１の左部及び左右方向中央部は挿入空間３１に配される。
連通開口Ｅ１を完全に開放した場合、引き戸本体２３の後面と棒材２７の左面と壁面Ｂｂとに囲繞された空間が形成される。この空間は、挿入空間３２として機能する（図２及び図５参照）。引き手２５１の右半分は挿入空間３２に配される。
挿入空間３１，３２は、何れも、使用者の手を挿入することが可能な広さを有している。
【００５７】
以上のような階段装置１の場合、引き戸本体２３の引き残し代Ｇ２は従来よりも短いので、有効開口幅Ｇ５（図２参照）は従来よりも長い。
居住空間Ｆにいる使用者は、引き手２４に指を掛けて引き戸本体２３を横移動させる。居住空間Ｆにいる使用者にとって、引き手２４は視認し易く、指を掛け易い。
一方、階段１１を昇降する使用者は、引き手２５１に指を掛けて引き戸本体２３を横移動させる。以下では、階段１１を昇降する使用者について説明する。
【００５８】
連通開口Ｅ１が完全に閉鎖されている場合、使用者は、挿入空間３１に手を挿入して引き手２５１に指を掛け、引き戸本体２３を右方向に移動させる。また、連通開口Ｅ１を完全に閉鎖する場合、使用者は、引き手２５１に指を掛けて引き戸本体２３を左方向に移動させる。このとき、引き戸本体２３の移動に伴って使用者の手が挿入空間３１に挿入されることがある。しかしながら、挿入空間３１は十分な広さを有している（特に、クリアランスＧ１が従来よりも長い）ので、引き手２５１に挿入された指が引き戸本体２３と壁面Ｂａとの間に挟まれてしまう虞はない。
【００５９】
連通開口Ｅ１が完全に開放されている場合、使用者は、挿入空間３２に手を挿入して引き手２５１に指を掛け、引き戸本体２３を左方向に移動させる。また、連通開口Ｅ１を完全に開放する場合、使用者は、引き手２５１に指を掛けて引き戸本体２３を右方向に移動させる。このとき、引き戸本体２３の移動に伴って使用者の手が挿入空間３２に挿入されることがある。しかしながら、挿入空間３２は十分な広さを有している（特に、クリアランスＧ１が従来よりも長い）ので、引き手２５１に挿入された指が引き戸本体２３と壁面Ｂｂとの間に挟まれてしまう虞はない。
【００６０】
使用者は、連通開口Ｅ１が完全に閉鎖されている場合に、引き手２５１を容易に視認することができる。
何故ならば、引き手２５１の右部は、連通開口Ｅ１側に突出しているので、壁板Ｂ３に阻害されず引き手２５１の右部を確実に視認することができるからである。また、引き手２５１の左部及び左右方向中央部は、壁面Ｂａから十分に離隔しているので、挿入空間３１を通して引き手２５１の左部及び左右方向中央部を視認することができるからである。
【００６１】
更に、連通開口Ｅ１が完全に開放されている場合であっても、使用者は、引き手２５１を容易に視認することができる。
何故ならば、引き手２５１の左半分は、連通開口Ｅ１側に突出しているので、壁板Ｂ４に阻害されず引き手２５１の左半分を確実に視認することができるからである。また、引き手２５１の右半分は、壁面Ｂｂから十分に離隔しているので、挿入空間３２を通して引き手２５１の右半分を視認することができるからである。
【００６２】
つまり、挿入空間３１，３２の存在により、引き手２５１は視認し易く、しかも指を掛け易い。
引き戸装置２、延いては階段装置１は、引き手２４，２５１を視認し易い上に、引き手２４，２５１に指を掛け易いので、開閉時の利便性が高い。
更にまた、引き手２５１は引き手２４に比べて上側に長いので、使用者が床板Ｄ１上に位置している場合のみならず、階段１１の最下段、又は下から２〜４段目等の何れかに位置している場合でも、引き手２５１に容易に手が届く。仮に、引き手２５１の縦長さが引き手２４と同程度であれば、使用者は、引き手２５１に指を掛けるために、使用者が床板Ｄ１上又は階段１１の最下段等に位置している必要がある。即ち、引き手２５１は、階段１１側から連通開口Ｅ１を開閉する際の利便性を向上する。
【００６３】
ところで、引き手２４，２５１は何れも凹状であるが、夫々凸状であってもよい。ただし、凸状の引き手２４は居住空間Ｆに突出するので、凹状の場合よりも居住空間Ｆを狭めてしまう。また、凸状の引き手２５１は挿入空間３１，３２に突出するので、凹状の場合よりも挿入空間３１，３２を狭めてしまう。この結果、凹状の場合よりは引き手２５１に指を掛け難くなるかもしれない。
【００６４】
本実施の形態の引き手２５１は、引き手２４よりも戸先側に配されているが、左右方向の配置位置が引き手２４と同じであってもよい。ただし、引き手２５１が引き手２４よりも戸先側に配されている方が、引き手２５１と引き手２４の左右方向の配置位置が同じ場合に比べて、引き残し代Ｇ２を短くすることができる。
【００６５】
棒材２６１，２７は、壁面Ｂａ，Ｂｂに取り付けられている。一方、従来の引き戸装置が備える一般的な見切り材は断面Ｌ字状をなし、壁面Ｂａと壁板Ｂ１の右端面及び壁板Ｂ３の右面との角部か、又は、壁面Ｂｂと壁板Ｂ２の左端面及び壁板Ｂ４の左面との角部に取り付けられる。故に、棒材２６１，２７夫々は、従来の見切り材に比べて、棒材２６１，２７夫々の取り付け時に棒材２６１，２７夫々の左右方向の位置を容易に調整することができる。
【００６６】
パッキン２８，２９は、連通開口Ｅ１が完全に閉鎖されている場合に、連通開口Ｅ１を通して居住空間Ｆと階段１１側の空間との間で空気が無用に通ることを抑制する。
この結果、居住空間Ｆは、引き戸装置２がない場合、及び、引き戸装置２に替えて、パッキン２８，２９に相当するものを備えていない従来の引き戸装置が備えられている場合の何れに比べても、冷暖房効率を向上させることができる。
【００６７】
階段装置１の場合、引き戸本体２３が、一般的な引き戸装置が備える引き戸本体よりも居住空間Ｆ側に突出している。従って、階段１１が、側板１１２，１１２夫々の前端部が居住空間Ｆに多少突出している構成であっても、引き戸本体２３と側板１１２，１１２夫々の前端部とが干渉する虞がない。
【００６８】
引き戸装置２は、階段装置１に備えられる構成に限定されない。
引き戸本体２３は右側に開く構成に限定されず、左側に開く構成でもよい。
引き戸本体２３は片引き戸であるが、引き戸装置２は、引き戸本体２３に替えて、両引き戸又は引き込み戸等を備えていてもよい。
【００６９】
なお、引き戸本体２３の前面２３ａにも引き手２５１と同様の引き手が設けられていてもよい。
しかしながら、前面２３ａには引き手２５１と同様の引き手よりも引き手２４の方が好適である。何故ならば、居住空間Ｆにおいて、引き手２５１と同様の引き手の上部側が活用される可能性が低いからである。また、居住空間Ｆには、引き戸本体２３以外の引き戸又は開き戸等が配されている可能性がある。引き手２４の寸法及び前面２３ａにおける配置は、一般的な引き手の寸法及び配置と大差ないので、引き戸本体２３と引き戸本体２３以外の引き戸又は開き戸等との間に意匠的な統一感が得られる。
【００７０】
本実施の形態においては、壁板Ｂ１，Ｂ２が別体である。しかしながら、連通開口Ｅ１は、１枚の壁板に形成されていてもよい。この場合、案内レール２１１は天井板Ｃ１に設けられる構成に限定されない。例えば、壁板の前面における連通開口Ｅ１の上辺部に、案内レール２１１を居住空間Ｆ側から目隠ししつつ支持するレール支持部材が取り付けられてもよい。
引き戸装置２は、案内レール２１１に替えて、天井板Ｃ１の下面に取り付けられた案内レールを備えていてもよい。
【００７１】
実施の形態  ２．
図９は、本発明の実施の形態２に係る階段装置１が備える引き戸装置２が有する引き戸本体２３の構成を略示する背面図である。図９は実施の形態１の図８に対応する。
本実施の形態の階段装置１は、実施の形態１の階段装置１と略同様の構成である。以下では、実施の形態１との差異について説明し、その他、実施の形態１に対応する部分には同一符号を付してそれらの説明を省略する。
【００７２】
本実施の形態の階段１１は、階上の居住空間Ｆ（例えば２階のリビング）と図示しない階下の空間（例えば１階の廊下）とを連絡している。
実施の形態１では、引き戸装置２は階段１１の階下側の前側に配されているが、本実施の形態では、引き戸装置２は階段１１の階上側の前側に配されている。
引き戸装置２は、実施の形態１の引き手２５１に替えて、引き手２５２（第１引き手）を備える。
【００７３】
引き手２５２は、引き手２５１と同様の掘り込み引き手であり、引き戸本体２３の後面２３ｂに設けられている。ただし、引き手２５１，２５２は、引き戸本体２３における上下方向の配置位置が異なる。
引き手２５２の上端部（及び下端部）は、引き戸本体２３の下辺部から1274mm（及び436mm ）離隔した高さに位置している。
つまり、引き手２５２の縦長さは引き手２４より長く、引き手２５２の下端位置は引き手２４より低い。
【００７４】
以上のような階段装置１は、実施の形態１の階段装置１と同様の作用効果を奏する。
ただし、引き手２５２は引き手２４に比べて下側に長い。故に、使用者が床板Ｄ１上に位置している場合のみならず、階段１１の最上段、又は上から２〜４段目等の何れかに位置している場合でも、引き手２５２に容易に手が届く。
【００７５】
実施の形態  ３．
図１０及び図１１は、本発明の実施の形態３に係る階段装置１が備える引き戸装置２の構成を略示する平面図及び断面図である。図１０及び図１１は、実施の形態１の図１及び図３に対応する。
本実施の形態の階段装置１は、実施の形態１の階段装置１と略同様の構成である。以下では、実施の形態１との差異について説明し、その他、実施の形態１に対応する部分には同一符号を付してそれらの説明を省略する。
【００７６】
柱Ａ２，Ａ３、壁板Ｂ２，Ｂ４，Ｂ５、天井板Ｃ２、及び床板Ｄ２は、階段装置１を備える建築物を構成する躯体の一部である。躯体には、壁板Ｂ２，Ｂ４，Ｂ５、天井板Ｃ２、及び床板Ｄ２に囲繞された連通開口Ｅ２（開口）が形成されている。
【００７７】
引き戸装置２は、実施の形態１の案内レール２１１及び棒材２６１に替えて、案内レール２１２及び棒材２６２を備える。全開時の引き戸装置２には挿入空間３２が形成されるが、全閉時でも引き戸装置２には実施の形態１の挿入空間３１に相当するものは形成されない。
【００７８】
まず、階段装置１を備える建築物の各部について説明する。
柱Ａ３は実施の形態１の柱Ａ１に替わるものであり、柱Ａ１と同様の構成であるが、柱Ａ１の配置位置よりも前側に配されている。
壁板Ｂ５は実施の形態１の壁板Ｂ１，Ｂ３に替わるものである。壁板Ｂ５は上下前後方向に延びる矩形平板状をなし、柱Ａ３に取り付けられている。壁板Ｂ５の右辺部は、柱Ａ３の右面を覆っている。壁板Ｂ５は壁板Ｂ３が前側に延長されたような構成である。
壁板Ｂ５と壁板Ｂ２，Ｂ４とは、左右方向に離隔並置されている。壁板Ｂ５の右面と壁板Ｂ２の左端面及び壁板Ｂ４の左面夫々とが左右方向に対面配置されている。
【００７９】
天井板Ｃ２及び床板Ｄ２は、実施の形態１の天井板Ｃ１及び床板Ｄ１に替わるものである。
天井板Ｃ２は前後左右方向に延びる平板状をなし、壁板Ｂ２，Ｂ４，Ｂ５夫々の上辺部に交差する。
床板Ｄ２は前後左右方向に延びる平板状をなし、壁板Ｂ２，Ｂ４，Ｂ５夫々の下辺部に交差する。
天井板Ｃ２及び床板Ｄ２夫々は、少なくとも壁板Ｂ２の前側、壁板Ｂ４の右側、及び壁板Ｂ４，Ｂ５間に配されている。
【００８０】
連通開口Ｅ２は、実施の形態１の連通開口Ｅ１に替わるものである。
連通開口Ｅ２は、上下左右を天井板Ｃ２、床板Ｄ２、壁板Ｂ５、及び壁板Ｂ２，Ｂ４に囲繞された矩形状をなす。連通開口Ｅ２の内周面の内、上内面は天井板Ｃ２の下面からなり、下内面は床板Ｄ２の上面からなり、左内面は壁板Ｂ５の右面からなり、右内面は壁板Ｂ２の左端面及び壁板Ｂ４の左面からなる。使用者は、連通開口Ｅ２を通して階段１１を昇降する。
連通開口Ｅ２の右側には壁面Ｂｂが隣接している。
【００８１】
案内レール２１２は、案内レール２１１と同様の構成であるが、天井板Ｃ２の下面に取り付けられている。案内レール２１１は建築物の建造時に天井板Ｃ１に埋設する必要があるが、案内レール２１２は、建築物の建造時に天井板Ｃ２に取り付けられてもよく、建築物の完成後に天井板Ｃ２に追加されてもよい。
案内レール２１２の右端部は壁面Ｂｂの前側に配されており、案内レール２１２の左端部及び左右方向中央部は、連通開口Ｅ２の前側に配されている。
各走行体２２の走行部２２１は、案内レール２１２に案内されて左右方向に走行する。
【００８２】
引き戸本体２３は壁面Ｂｂに前後方向に対面して壁面Ｂｂに沿う横方向に移動可能である。後面２３ｂは、引き戸本体２３の壁面Ｂｂに対面する側の一面であり、前面２３ａは、後面２３ｂの逆側の他面である。
引き戸本体２３は案内レール２１２から走行体２２，２２を介して吊り下げられた上吊り式であり、連通開口Ｅ２を左右方向に開閉する。
【００８３】
棒材２６２は壁板Ｂ５の左面に取り付けられている。棒材２６２は縦方向に長い四角柱状をなし、戸当たり材として機能する。引き戸本体２３は、棒材２６２の右面よりも右側を左右方向に移動する。
棒材２６２の右面には縦方向に長い戸当たり溝２６ｄが設けられており、戸当たり溝２６ｄの内部における棒材２６２の右面（戸当たり溝２６ｄの内底面）には、図示しないパッキンが配されている。
連通開口Ｅ２を完全に閉鎖した場合、棒材２６２のパッキンは、棒材２６２と引き戸本体２３の左端面とに挟まれる。この結果、棒材２６２のパッキンは棒材２６２と引き戸本体２３との間の空隙を覆う。
【００８４】
以上のような階段装置１は、実施の形態１と同様の左右効果を奏する。
連通開口Ｅ２が完全に閉鎖されている場合、挿入空間３１は形成されないが、使用者が連通開口Ｅ２を通して引き手２５１を容易に視認することができるので、特段の問題はない。
なお、引き戸装置２は、案内レール２１２に替えて、天井板Ｃ２に埋設された案内レールを備えていてもよい。
【００８５】
実施の形態  ４．
図１２は、本発明の実施の形態４に係る階段装置１が備える引き戸装置２の戸先側の構成を略示する断面図である。図１２は実施の形態１の図５に対応する。
本実施の形態の階段装置１は、実施の形態１の階段装置１と略同様の構成である。以下では、実施の形態１との差異について説明し、その他、実施の形態１に対応する部分には同一符号を付してそれらの説明を省略する。
【００８６】
引き戸装置２は、引き戸本体２３及び引き手２４に替えて、引き戸本体４１及び引き手４２を備える。また、引き戸装置２は、引き手２５１に替えて、図示しない階段側引き手を備える。引き戸装置２には棒材２６１，２７及びパッキン２８，２９が備えられておらず、挿入空間３１，３２が形成されていない。
図１２は、引き戸本体４１による連通開口Ｅ１の開放時を示している。
【００８７】
引き戸本体４１は前面４１ａ、後面４１ｂ、及び左端面４１ｃを有する。引き戸本体４１は引き戸本体２３と同様の構成であるが、壁面Ｂａ，Ｂｂ夫々と後面４１ｂとの前後方向のクリアランスは、従来同様、20mm程度である。また、引き戸本体４１の引き残し代は０mmであり、従来よりも70mm以上低減されている。
後面４１ｂには、階段側引き手が設けられている。階段側引き手は、従来の引き手と同様の構成でも引き手２５１と同様の構成でもよいが、戸先から右側に15mm以上離隔して配されている。故に、連通開口Ｅ１が完全に閉鎖されている場合、階段側引き手は連通開口Ｅ１に臨むので、階段側引き手の視認及び使用は容易である。一方、連通開口Ｅ１が完全に開放されている場合、階段側引き手は後ろ側から壁面Ｂｂに覆われるので、階段側引き手の視認及び使用は困難である。
【００８８】
引き手４２は、掘り込み引き手部４２１，４２２を有する。
掘り込み引き手部４２１は引き戸本体４１の前面４１ａにおける左辺部に設けられている。
掘り込み引き手部４２２は引き戸本体４１の左端面４１ｃにおける前辺部に設けられている。
引き手４２における掘り込み引き手部４２１を構成する部分と掘り込み引き手部４２２を構成する部分とは一体形成されているが、両者は別体に形成されてもよい。
【００８９】
連通開口Ｅ１を完全に開放した場合、引き手４２は壁面Ｂａの前方に配されている。しかしながら、使用者は連通開口Ｅ１を通して掘り込み引き手部４２１を容易に視認可能である。
【００９０】
以上のような階段装置１の場合、引き戸本体４１の引き残し代は実施の形態１よりも更に短いので、有効開口幅は実施の形態１よりも更に長い。
完全に閉鎖されている連通開口Ｅ１を完全に開放する場合、使用者は、まず、階段側引き手に指を掛けて引き戸本体４１を右方向に移動させ、次に、掘り込み引き手部４２２又は引き戸本体４１の左端面４１ｃに指を掛けて引き戸本体を右方向に最後まで移動させる。掘り込み引き手部４２２又は引き戸本体４１は壁面Ｂｂの前側に配されることはないので、使用者の指が引き戸本体４１と壁面Ｂｂとの間に挟まれてしまう虞はない。
【００９１】
完全に開放されている連通開口Ｅ１を完全に閉鎖する場合、使用者は、まず、掘り込み引き手部４２２に指を掛けて引き戸本体４１を壁面Ｂｂの前側から左方向に適長引き出し、次に、階段側引き手に指を掛けて引き戸本体４１を左方向に最後まで移動させる。
一方、居住空間Ｆにいる使用者は、掘り込み引き手部４２１に指を掛けて引き戸本体４１を横移動させる。居住空間Ｆにいる使用者にとって、掘り込み引き手部４２１は視認し易く、指を掛け易い。
以上のように、引き手４２及び階段側引き手は視認し易く、しかも指を掛け易い。従って、引き戸装置２、延いては階段装置１は、開閉時の利便性が高い。
【００９２】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、階段装置１又は引き戸装置２に、実施の形態１〜４に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００９３】
１      階段装置
１１    階段
２      引き戸装置
２３    引き戸本体
２４    引き手（第２引き手）
２５１，２５２  引き手（第１引き手）
２６１，２７  棒材（見切り材）
２８，２９  パッキン
３１，３２  挿入空間（手の挿入が可能な空間）
【図１】
2020076310.tif 000003
【図２】
2020076310.tif 000004
【図３】
2020076310.tif 000005
【図４】
2020076310.tif 000006
【図５】
2020076310.tif 000007
【図６】
2020076310.tif 000008
【図７】
2020076310.tif 000009
【図８】
2020076310.tif 000010
【図９】
2020076310.tif 000011
【図１０】
2020076310.tif 000012
【図１１】
2020076310.tif 000013
【図１２】
2020076310.tif 000014